(57)【要約】【課題】ヘッドが移送方向の衝撃力を受けてベース部材自身あるいはベース部材に一体的に構成される何れかの部品に衝突した場合に生じる衝撃力を緩和することが可能なディスク装置を提供する。【解決手段】ヘッドが保持される移送ユニットに対して、シャーシと一体的に構成され、ヘッド移送方向に対向する剛体部位を設け、ヘッド移送方向へ装置全体に対する外部からの衝撃力などが発生した際に、移送ユニットの揺動量を抑制し、最終的にヘッドに加わる衝撃力を軽減する。【選択図】図１
2007287246.tif 000002
【特許請求の範囲】
【請求項１】
データの記録及び／又は再生を行うことが可能なディスクを回転させるディスク回転機構と、
前記ディスク回転機構により回転駆動され、前記ディスクを載置して回転させるターンテーブルと、
前記ディスクに対して記録及び／又は再生するためのヘッドと、
前記ヘッドを前記ディスクの略半径方向に移送可能に案内するヘッドガイドと、
前記ヘッドを前記ヘッドガイドに沿って移送させるヘッド移送機構と、
前記ディスク回転機構、前記ヘッド、前記ヘッドガイドおよび前記ヘッド移送機構とを一体的に保持するベースと、
前記ベースを、弾性を有する弾性部位を介して保持するシャーシと、
を具備し、
前記ヘッドガイドと略平行な方向に対向し、前記ベースの一部と間隙を有して、前記シャーシに構成される対向部を具備するディスク装置。
【請求項２】
前記ディスク回転機構の回転軸に平行な方向の、前記対向部と前記ベースの一部の対向する高さは、前記回転軸に平行な方向の、前記シャーシと前記ベースの相対変位量の最大よりも大きい請求項１に記載のディスク装置。
【請求項３】
前記弾性部位は、振動減衰性を有する請求項１または２に記載のディスク装置。
【請求項４】
前記弾性部位は、前記ヘッドガイドに対して略平行な方向に深さを有する貫通または非貫通の凹部を備え、前記凹部の深さ方向に挿通可能な挿通支持部が前記シャーシに設けられる請求項１〜３の何れかに記載のディスク装置。
【請求項５】
前記弾性部位は、前記ディスク回転機構の回転軸に対して略平行な方向に深さを有する貫通または非貫通の凹部を備え、前記凹部の深さ方向に挿通可能な挿通支持部が前記シャーシに設けられる請求項１〜３の何れかに記載のディスク装置。
【請求項６】
前記間隙は、前記ディスク回転機構または前記ヘッド移送機構の動作を加振源として前記ベースに伝達する前記ヘッドガイドに略平行な方向の振動の振幅以上である請求項１〜５の何れかに記載のディスク装置。
【請求項７】
前記対向部は、前記ベースに対して前記ターンテーブルに載置された状態における前記ディスクが配置される側に構成される請求項１〜６の何れかに記載のディスク装置。
【請求項８】
少なくとも前記対向部は、金属材料で構成された部材の一部である請求項１〜７の何れかに記載のディスク装置。
【発明の詳細な説明】
【技術分野】
【０００１】
本発明は、ディスクに対して記録及び／又は再生を行うヘッドを有するディスク装置に関する。
【背景技術】
【０００２】
ディスク状の記録媒体に対して記録または再生を行う、ＣＤ（コンパクト・ディスク）、ＤＶＤ（デジタル多用途ディスク）、あるいはＢＤ（ブルー・レイ・ディスク）等の光ディスク装置、ＭＯ（光磁気ディスク）、あるいはＭＤ（ミニ・ディスク）等の光磁気ディスク装置、およびＦＤ（フロッピー（登録商標）・ディスク）等の記録再生磁気ディスク装置と、これらに使用する各ディスク媒体がすでに広く世の中に普及している。
【０００３】
また昨今においては、さらなる高記録密度化の技術開発も加速されている。これに伴い、上記ディスク装置においてはより高精度のものが要求される。特にディスクへの記録または再生に直接作用するヘッドにおいては最もそのレベルが高い。
【０００４】
一方、これらディスク装置の市場では低価格化が進行し、装置を構成する部品、材料および工法としても廉価で高機能なものが要求されている。
【０００５】
また、同時に輸送コストの削減という観点からは、装置出荷時の梱包もより簡素なものであることが理想である。したがって梱包する装置を保護する緩衝材を削減することが課題となっている。さらに環境保護の観点からは緩衝材に使用する材料として有効である発泡樹脂の使用を抑制することも昨今の動向である。
【０００６】
このように上記のようなディスク装置が高精度化を要求される一方で、製品破壊に対する保護施策は製造コストの観点などから困難となってきているものの、それでもなお製品強度を向上させる、あるいは製品自身で弱点を克服するための保護機能を備える必要がある。
【０００７】
例えば、回転機構により回転する光ディスクに対して、光ヘッドにより光ビームを照射することにより記録及び／又は再生する光ディスク装置においては、光ヘッドは高精度が要求される多くの光学部品等により構成されているが、製品として出荷された後に衝撃力のような過大な外力が印加された後においてもその精度を維持するためには、部品強度の向上あるいは各部品同士の接合強度の向上が必要となる。しかしながら部品単価あるいは接合工数の上昇を招く場合が多いため、これを回避するには、光ヘッドに対して印加される元々の衝撃力を緩和する方法が有効である。
【０００８】
また、光ディスク装置においては、外部からの不用意な衝撃力、とりわけ特に光ヘッドの拘束が少なく、自由度が高く保持されている光ヘッドの移送方向への力が加わった際に、顕著に光ヘッドに対してのダメージが大きくなる。
【０００９】
図１４は従来のディスク装置の構成概略図であり、図１５は図１４に示された構成部品の組立状態図、また図１６はディスクを記録あるいは再生する際に光ヘッドを移送させるための機構が組み込まれた移送ユニット１８０の構成を示した図である。図１４および図１５に示すように、ディスク装置には図１６に示す移送ユニット１８０が組み込まれている。
【００１０】
まず、移送ユニット１８０の構成について図１６により説明する。
【００１１】
図１６において、１０１は光ビームを照射されることにより記録及び／又は再生がなされるディスクである。１０２はディスク１０１を載置するターンテーブルであって、回転駆動するディスクモータ１０３の回転軸に対して同心となるよう固定支持されている。なお、本形態の説明においてはディスク１０１をターンテーブル１０２に対して固定するチャッキング部材の図示は省略しているが、ディスク１０１をターンテーブル１０２に対して付勢して一体的に回転可能に保持することが可能となる公知の技術を用いることができる。
【００１２】
１０４はディスク１０１に対して光ビームにより記録及び／又は再生を行う光ヘッドで、対物レンズ１０４Ａがディスク１０１の一半径方向に一致する線上に配置されている。１０５Ｍは光ヘッド１０４をディスク１０１の半径方向に案内する主ガイドシャフトであり、光ヘッド１０４に設けられた前主軸受け１０４Ｂおよび後主軸受け１０４Ｃにて光ヘッド１０４を支持している。同様に１０５Ｓは副ガイドシャフトであり、光ヘッド１０４に設けられた副軸受け１０４Ｄにて光ヘッド１０４を支持している。
【００１３】
１０６は光ヘッド１０４を主ガイドシャフト１０５Ｍに平行な矢印Ｄ１０１方向または矢印Ｄ１０２方向に移送駆動する移送モータユニットである。図１７に移送モータユニット１０６および移送駆動を行う機構の詳細構成を示す。移送モータユニット１０６は、大きくは右ねじ方向に螺旋溝１０６ＳＧが形成されたねじ状の部材で駆動力を光ヘッド１０４に伝達するリードスクリュー１０６Ｓ、回転力を発生してリードスクリュー１０６Ｓに伝達するモータ部１０６Ｍ、および移送モータユニット１０６全体を固定保持するためのモータフレーム１０６Ｆから構成される。また、１０７はリードスクユー１０６Ｓと係合して矢印Ｄ１０１方向または矢印Ｄ１０２方向へ移送するための駆動力を光ヘッド１０４に伝達するナット部材である。ナット部材１０７に斜歯状に設けられた２枚のナット歯１０７Ｔは、リードスクリュー１０６Ｓに設けられた螺旋溝１０６ＳＧに係合しており、リードスクリュー１０６Ｓが矢印Ｒ１０１方向に回転するとナット部材１０７は矢印Ｄ１０１方向に移動し、すなわち光ヘッド１０４が矢印Ｄ１０１方向に移動し、リードスクリュー１０６Ｓが矢印Ｒ１０２方向に回転するとナット部材１０７は矢印Ｄ１０２方向に移動し、すなわち光ヘッド１０４が矢印Ｄ１０２方向に移動する。１０７Ｆはナット歯１０７Ｔが螺旋溝１０６ＳＧから離脱するのを回避するためにナット歯１０７Ｔ部分と一体的に構成されたフック部である。
【００１４】
そして１０８は、ディスクモータ１０３、主ガイドシャフト１０５Ｍ、副ガイドシャフト１０５Ｓおよび移送モータユニット１０６を一体的に保持するベースであり、主ガイドシャフト１０５Ｍは、ベース１０８に設けられた、主ガイドシャフト受け１０８Ａ、１０８Ｂ、１０８Ｃ、および１０８Ｄにより支持されており、副ガイドシャフト１０５Ｓは、ベース１０８に設けられた、副ガイドシャフト受け１０８Ｅ、１０８Ｆ、１０８Ｇ、および１０８Ｈにより支持されている。また煩雑を回避するため図示を割愛しているが、主ガイドシャフト１０５Ｍおよび副ガイドシャフト１０５Ｓは、ベース１０８に対して公知の固定保持機構により支持位置にて固定保持される。
【００１５】
以上のような構成により、光ヘッド１０４はディスク１０１の半径方向に関して移送モータユニット１０６の駆動力により移送され、所望の半径位置で、公知の方式にて記録及び／又は再生が行われる。
【００１６】
次に、移送ユニット１８０が装置内へ組み込まれている状態について図１４および図１５により説明する。
【００１７】
１０９は本形態におけるディスク装置の中において移送ユニット１８０を支持するベースホルダ、１１０は移送ユニット１８０を保持し、本実施の形態におけるディスク装置全体の外郭をなすシャーシである。
【００１８】
移送ユニット１８０は、ベースホルダ１０９に設けられたベース支持ボス１０９ＡＲ／１０９ＡＬに対しては、ベース１０８に設けられた前ダンパ穴１０８ＦＲ／１０８ＦＬに取り付けられたベース水平支持ダンパ１１１ＦＲ／１１１ＦＬを介してダンパ固定ビス１１２ＦＲ／１１２ＦＬにより固定支持され、シャーシ１１０に設けられたベース取り付けボス１１０ＢＲ／１１０ＢＬ対しては、ベース１８に設けられた後ダンパ穴１０８ＲＲ／１０８ＲＬに取り付けられたベース水平支持ダンパ１１１ＲＲ／１１１ＲＬを介してダンパ固定ビス１１２ＲＲ／１１２ＲＬにより固定支持される。
【００１９】
この時、ベース取り付けボス１１０ＢＲ／１１０ＢＬに取り付けられたベース水平支持ダンパ１１１ＲＲ／１１１ＲＬ部分では、シャーシ１１０に対する相対高さに変動が生じないため、ベースホルダ１０９の矢印Ｄ１０８方向または矢印Ｄ１０９方向への昇降動作時には、仮想の回動支軸１０８Ｌを構成し、図１４に示すように擬似的にベース１０８の回動のためのヒンジの機能を果たす。
【００２０】
ベースホルダ１０９は、シャーシ１１０に組み込まれて矢印Ｄ１０３／Ｄ１０４方向に移動することによりベースホルダ１０９を上昇／下降させる昇降カム１１３に対して、付加されている昇降ピン１０９ＵＲ／１０９ＵＬが昇降溝１１３ＣＲ／１１３ＣＬに挿通された状態で、シャーシ１１０に対して特定の状態に支持される。この時、昇降ピン１０９ＵＲ／１０９ＵＬはシャーシ１１０に付加するガイド面１１０Ｗに設けられた昇降ガイド溝１１０ＧＲ／１１０ＧＬにも同時に挿通され、図１５に示す矢印Ｄ１５方向に案内される。
【００２１】
またベースホルダ１０９は、ホルダ回動軸１０９ＰＲ／１０９ＰＬがシャーシ１１０に設けられたホルダ軸受け１１０ＳＲ／１１０ＳＬに軸支されることによりシャーシ１１０に対して回動自在に支持されている。
【００２２】
昇降カム１１３が矢印Ｄ１０３／Ｄ１０４方向に移動可能にシャーシ１１０へ組み込まれた状態では、シャーシ１１０に設けられたギア軸１１０Ｃに回転可能に保持される昇降ギア１１４にラックギア１１３Ｇが係合して、昇降ギア１１４が矢印Ｄ１０６／Ｄ１０７方向に回転することにより矢印Ｄ１０３／Ｄ１０４方向に移動する。
【００２３】
なお、昇降ギア１１４を駆動する駆動源および駆動源から駆動ギア１１４に至る駆動系については詳細の記載を割愛しているが、例えばギア列による構成あるいはベルト駆動などの、すでに公知の機構技術にて構成することが可能である。
【００２４】
このような構成で、移送ユニット１８０はベースホルダ１０９および昇降カム１１３などとともにシャーシ１１０に対して組み込まれた後、天板１１５がビス１１６Ａ／１１６Ｂ／１１６Ｃ／１１６Ｄにより固定される。この時、シャーシ１１０に設けられた位置決め突起１１０ＰＡ／１１０ＰＢ／１１０ＰＣ／１１０ＰＤが天板１１５に設けられた位置決め穴１１５ＦＲ／１１５ＲＲ／１１５ＦＬ／１１５ＲＬに係合されて、天板１１５はシャーシ１１０に対して、ターンテーブル１０２に載置された状態におけるディスク１０１に平行な面方向に関して一義的に位置決めされる。
【００２５】
上記の通り、移送ユニット１８０はシャーシ１１０に対して、回動支軸１０８Ｌに関して矢印Ｄ１０８／Ｄ１０９）方向に回動可能に構成されており、図１８に示すように駆動ギア１１４が矢印Ｄ１０６方向に回転すると昇降カム１１３は矢印Ｄ１０３方向に移動するため、昇降ピン１０９ＵＲ／１０９ＵＬ）が昇降溝１１３ＣＲ／１１３ＣＬに沿って矢印Ｄ１０８方向に移動する。これに従って、移送ユニット１８０がシャーシ１１０に対して、回動支軸１０８Ｌに関して矢印Ｄ１０８方向に回動する。
【００２６】
この動作によりディスクモータ１０３および光ヘッド１０４などは上昇し、上昇が完了する直前にディスク１０１はターンテーブル１０２に載置された状態となり、不図示のチャッキング部材によりチャッキングされ、ディスクモータ１０３と共に一体的に回転可能な状態となる。そしてこの状態で光ヘッド１０４が矢印Ｄ１０１方向または矢印Ｄ１０２方向に移送されて、ディスク１０１に対してデータの記録、あるいはディスク１０１に記録されたデータの再生が行われる。
【００２７】
また逆に、図１９に示すように駆動ギア１１４が矢印Ｄ１０７方向に回転すると昇降カム１１３は矢印Ｄ１０４方向に移動するため、昇降ピン１０９ＵＲ／１０９ＵＬが昇降溝１１３ＣＲ／１１３ＣＬに沿って矢印Ｄ１０９方向に移動する。これに従って、移送ユニット１８０はシャーシ１１０に対して、回動支軸１０８Ｌに関して矢印Ｄ１０９方向に回動する。
【００２８】
この動作によりディスクモータ１０３および光ヘッド１０４などは下降し、下降を開始した直後にディスク１０１はターンテーブル１０２へのチャッキングが解除される。
【００２９】
この状態で、ディスク１０１は装置外への排出が可能な状態となる。また同時にこの状態は、ディスク１０１が装置外から挿入されることが可能な状態でもある。
【００３０】
以上のように構成される本形態のディスク装置において、光ヘッド１０４は図１６に示す矢印Ｄ１０１方向または矢印Ｄ１０２方向には、移送モータユニット１０６により移送駆動されている時以外では、他から受ける移送方向の力に対して自由状態である。また、移送ベース１０８および移送ユニット１８０全体は、他から受ける移送方向の力がベース水平支持ダンパ１１１ＦＬ／１１１ＦＲ／１１１ＲＬ／１１１ＲＲの弾性変形による反力を越える場合、矢印Ｄ１０１方向または矢印Ｄ１０２方向に移動可能である。
【００３１】
図２０に示すように、光ヘッド４の移送方向が鉛直方向と一致するような姿勢では、移送ユニット１８０がベース水平支持ダンパ１１１ＦＬ／１１１ＦＲ／１１１ＲＬ／１１１ＲＲを介してベースホルダ１０９およびシャーシ１１０に支持されて、さらに移送ユニット１８０とベースホルダ１０９の重量は、シャーシ１１０に設けられたガイド面１１０Ｗとベース取り付けボス１１０ＢＲ／１１０ＢＬに分割されてかかることになる。
【００３２】
この時、静止状態であればガイド面１１０Ｗおよびベース取り付けボス１１０ＢＲ／１１０ＢＬにかかる力は、矢印Ｄ１０１方向の移送ユニット１８０およびベースホルダ１０９の全体の静止重量による力だけである。
【００３３】
光ヘッド１０４も同様に矢印Ｄ１０１方向に力を受けているが、静止状態であれば光ヘッド１０４の重量だけがかかっている。したがってこの力が主ガイドシャフト１０５Ｍ／副ガイドシャフト１０５Ｓとの間の摩擦力を越えるものであれば移動を開始する。
【００３４】
ところが本形態の類のディスク装置における一般的なアクシデントとして発生する製品の落下時などでは、図２０に示すような状態から、図２１に示すように、ディスク装置全体が矢印Ｄ１０１方向に移動し、固定物１５１に衝突する場合がある。この際、移送ユニット１８０がガイド面１１０に与える衝撃力によりガイド面１１０Ｗが受ける力は増し、図２０に示す静止状態よりも大きな力となり、図２１に示すように撓みＧ１０１を発生する。このため移送ユニット１８０はシャーシ１１０に対して矢印Ｄ１０１方向に撓みＧ１０１の距離分だけ相対位置移動を行った後に停止する。そして移送ユニット１８０が撓みＧ１０１の距離分だけ相対位置移動行って停止した後には残存した運動量が光ヘッド１０４に移り、引き続き光ヘッド１０４が矢印Ｄ１０１方向に移送ユニット１８０およびシャーシ１１０に対して相対位置移動を行う。そして、主ガイドシャフト受け１０８Ａ／１０８Ｂに衝突して停止する。
【００３５】
図２０に示す静止状態で移送ユニット１８０および光ヘッド１０４が矢印Ｄ１０１方向に受ける加速度を各々Ａ１１１、Ａ１１２、図２１に示す落下時などでディスク装置全体が固定物１５１に衝突した状態で移送ユニット１８０および光ヘッド１０４が矢印１０１方向に受ける衝撃による加速度を各々、ディスク装置全体がＡ１２１、移送ユニット１８０がＡ１２２、および光ヘッド１０４がＡ１２３とすると、Ａ１１１およびＡ１１２は共に重力加速度そのものであり９．８ｍ／ｓ２に等しいが、Ａ１２１、Ａ１２２およびＡ１２３はこれより大きく、さらに移送ユニット１８０はシャーシ１１０に対して矢印１０１方向に撓みＧ１０１の距離分だけ相対移動を行い、光ヘッド１０４は移送ユニット１８０に対してさらに矢印１０１方向への相対移動を行うため、移送ユニット１８０および光ヘッド１０４は各々ディスク装置全体よりさらに加速され、これらの加速度は（式１）のような関係になる。
【００３６】
Ａ１２１＜Ａ１２２＜Ａ１２３・・・（式１）
この時にはＡ１２１の値が大きいほどＡ１２２およびＡ１２３の値も大きくなり、また最も高精度が要求される光ヘッド１０４における衝撃加速度Ａ１２３の値が最も大きくなることがわかる。
【００３７】
またこの関係において、移送ユニット１８０の相対移動距離が大きいほど加速度は大きくなるため、Ａ１２２は撓みＧ１０１が拡大するに従って増大する。
【特許文献１】特開２０００−３３９８８２号公報
【発明の開示】
【発明が解決しようとする課題】
【００３８】
光ディスク装置を構成するシステムでは、光ヘッド１０４は上記のように移送される方法が一般的であるが、上記のように、移送時に正規の駆動源により移送される以外に、外部より不要な、特に衝撃力などの力を移送方向に受ける場合が、商品の流通段階でしばしば発生する。
【００３９】
しかしながら上記のような構成であると、撓みＧ１０１はガイド面１１０Ｗの剛性に依存し、例えばシャーシ１１０が樹脂材料などで構成されている場合などでは上記のような衝撃力を受けると撓みＧ１０１を小さく押さえることは困難な場合が多い。このため、これに伴い、上記（式１）のＡ１２２の増大を回避することが困難である。したがって、Ａ１２３も必然的に増大してしまい、結果として光ヘッド１０４は大きく加速してしまい、主ガイドシャフト受け１０８Ａ（１０８Ｂ）に対して大きな衝撃力をもって衝突する。
【００４０】
これにより、光ヘッド１０４は性能が劣化するほどの損傷を受け、ディスク装置全体が本来の機能を発揮できなくなるという問題点を有していた。
【００４１】
また同時に、移送ユニット１８０の衝撃力が全てガイド面１１０Ｗに加わることにより、この部分の特に根元付近にかかるモーメントが過大なものとなり、破損してしまうために、例えば昇降カム１１３の機能に傷害が発生するなど、ディスク装置全体としての本来の機能を発揮できなくなるという問題点を有していた。
【００４２】
本発明は、上記のような従来の問題点を解決し、外部より不要な、特に衝撃力などの力を移送方向に受ける場合に、光ヘッド１０４における衝撃加速度を軽減することができ、すなわち光ヘッド１０４に加わる衝撃力が低減され、構成部品間の位置精度の悪化等、性能の劣化に直接影響を与えるようなダメージが発生するのを防止することが可能なディスク装置を提供することを目的とする。
【課題を解決するための手段】
【００４３】
上記の目的を達成するために本発明のディスク装置は、データの記録及び／又は再生を行うことが可能なディスクを回転させるディスク回転機構と、前記ディスク回転機構により回転駆動され、前記ディスクを載置して回転させるターンテーブルと、前記ディスクに対して記録、または前記ディスクより再生するためのヘッドと、前記ヘッドを前記ディスクの略半径方向に移送可能に案内するヘッドガイドと、前記ヘッドを前記ディスクの略半径方向に移送させるヘッド移送機構と、前記ディスク回転機構、前記ヘッド、前記ヘッドガイド、前記ヘッド移送機構とを一体的に保持するベースと、前記ベースを、少なくとも前記ヘッドガイドと平行な方向の変形が可能となる弾性を有する弾性部位を介して保持するシャーシと、を具備し、前記ベースの一部と間隙を有して、前記ヘッドガイドと略平行な方向に対向し、かつ前記シャーシに構成される対向部を具備することを特徴とする。
【発明の効果】
【００４４】
以上のように本発明のディスク装置によれば、ディスク装置全体が光ヘッド移送方向に衝撃力を受けた場合においても、移送ユニットが過度に揺動することが抑制される。これにより、移送ユニットが受ける衝撃加速度が軽減される。これに伴い、移送ユニットで移送可能に保持された光ヘッドが移送方向に強制的に移送され可動範囲限界における停止位置のストッパで制止された時の衝撃加速度が軽減される。これにより光ヘッドが、ディスクに対して記録及び／又は再生を行う際に支障となるような損傷を受けることを回避することが可能となる。
【発明を実施するための最良の形態】
【００４５】
上述した本発明のディスク装置によれば、ディスク装置全体が光ヘッド移送方向に衝撃力を受けた場合に、移送ユニットが過度に揺動することが抑制され、移送ユニットが受ける衝撃加速度が軽減されることにより、移送ユニットに移送可能に保持された光ヘッドが強制的に移送され可動範囲限界における停止位置のストッパで制止された時の衝撃加速度を軽減することが可能なディスク装置を提供できる。
【００４６】
また本発明のディスク装置によれば、ヘッド移送方向に関するベースの揺動量を規制する揺動規制突起とベースの一部との対向している範囲が、ベースの主要構造部とは別に、十分な領域として設けられているため、ディスク装置全体がヘッド移送方向に強制的な力を受けた際においても対向状態が解消されることがない。このため、揺動規制突起によるベースの揺動量の規制を確実に行うことが可能なディスク装置を提供できる。
【００４７】
また本発明のディスク装置によれば、ベースがシャーシに対して振動減衰部材を介して保持されていてもベースの揺動量を規制することが可能なディスク装置を提供できる。
【００４８】
また本発明のディスク装置によれば、揺動規制突起とベースとが、動作中に接触することのないディスク装置を提供できる。
【００４９】
また本発明のディスク装置によれば、揺動規制突起によるベースの揺動量の規制を、移送方向を鉛直方向にした時に移送ユニットの重心位置を通る鉛直線に近い位置に設けることにより、ベースの揺動量を規制する効果を向上することが可能なディスク装置を提供できる。
【００５０】
また本発明のディスク装置によれば、ディスク装置全体がヘッド移送方向に強制的な力を受けた際に、揺動量規制突起によりベースの揺動が規制された時においても揺動量規制突起の変形を回避することが可能なディスク装置を提供できる。
【００５１】
（実施の形態１）
以下に本発明の一実施の形態におけるディスク装置の概念について説明する。
【００５２】
本実施の形態のディスク装置は、回転機構により回転する光ディスクに対して、光ヘッドにより光ビームを照射することにより記録または再生する光ディスク装置で、光ヘッドがディスクの半径方向にガイドされて移送される一般的な構成である。
【００５３】
図１は本実施の形態のディスク装置の構成概略図であり、図２は図１に示された構成部品の組立状態図、また図３はディスクを記録あるいは再生する際に光ヘッドを移送させるための機構が組み込まれた移送ユニット８０の構成を示した図である。図１および図２に示すように、本実施の形態のディスク装置には図３に示す移送ユニット８０が組み込まれている。
【００５４】
まず、移送ユニット８０の構成について図３により説明する。
【００５５】
図３において、１は光ビームを照射されることにより記録及び／又は再生がなされるディスクである。２はディスク１を載置するターンテーブルであって、回転駆動するディスクモータ３の回転軸に対して同心となるよう固定支持されている。なお、本実施の形態の説明においてはディスク１をターンテーブル２に対して固定するチャッキング部材の図示は省略しているが、ディスク１をターンテーブル２に対して付勢して一体的に回転可能に保持することが可能となる公知の技術を用いることができる。
【００５６】
４はディスク１に対して光ビームにより記録及び／又は再生を行う光ヘッドで、対物レンズ４Ａがディスクの一半径方向に一致する線上に配置されている。５Ｍは光ヘッド４をディスク１の半径方向に案内する主ガイドシャフトであり、光ヘッド４に設けられた前主軸受け４Ｂおよび後主軸受け４Ｃにて光ヘッド４を支持している。同様に５Ｓは副ガイドシャフトであり、光ヘッド４に設けられた副軸受け４Ｄにて光ヘッド４を支持している。
【００５７】
６は光ヘッド４を主ガイドシャフト５Ｍに平行な矢印Ｄ１方向または矢印Ｄ２方向に移送駆動する移送モータユニットである。図４に移送モータユニット６および移送駆動を行う機構の詳細構成を示す。移送モータユニット６は、大きくは右ねじ方向に螺旋溝６ＳＧが形成されたねじ状の部材で駆動力を光ヘッド４に伝達するリードスクリュー６Ｓ、回転力を発生してリードスクリュー６Ｓに伝達するモータ部６Ｍ、および移送モータユニット６全体を固定保持するためのモータフレーム６Ｆから構成される。また、７はリードスクユー６Ｓと係合して矢印Ｄ１方向または矢印Ｄ２方向へ移送するための駆動力を光ヘッド４に伝達するナット部材である。ナット部材７に斜歯状に設けられた２枚のナット歯７Ｔは、リードスクリュー６Ｓに設けられた螺旋溝６ＳＧに係合しており、リードスクリュー６Ｓが矢印Ｒ１方向に回転するとナット部材７は矢印Ｄ１方向に移動し、すなわち光ヘッド４が矢印Ｄ１方向に移動し、リードスクリュー６Ｓが矢印Ｒ２方向に回転するとナット部材７は矢印Ｄ２方向に移動し、すなわち光ヘッド４が矢印Ｄ２方向に移動する。７Ｆはナット歯７Ｔが螺旋溝６ＳＧから離脱するのを回避するためにナット歯７Ｔ部分と一体的に構成されたフック部である。
【００５８】
なお、本実施の形態においてはリードスクリュー６Ｓを右ねじとしたが、本発明はねじ方向を右ねじに限定するものではない。また、本実施の形態においてはナット歯７Ｔの数は２枚であるが、これ以外の数であっても同様の効果を得ることは可能である。
【００５９】
そして８は、ディスクモータ３、主ガイドシャフト５Ｍ、副ガイドシャフト５Ｓおよび移送モータユニット６を一体的に保持するベースであり、主ガイドシャフト５Ｍは、ベース８に設けられた、主ガイドシャフト受け８Ａ、８Ｂ、８Ｃ、および８Ｄにより支持されており、副ガイドシャフト５Ｓは、ベース８に設けられた、副ガイドシャフト受け８Ｅ、８Ｆ、８Ｇ、および８Ｈにより支持されている。また煩雑を回避するため図示を割愛しているが、主ガイドシャフト５Ｍおよび副ガイドシャフト５Ｓは、ベース８に対して公知の固定保持機構により支持位置にて固定保持される。
【００６０】
以上のような構成により、光ヘッド４はディスク１の半径方向に関して移送モータユニット６の駆動力により移送され、所望の半径位置で、公知の方式にて記録及び／又は再生が行われる。
【００６１】
次に、移送ユニット８０が装置内へ組み込まれている状態について図１および図２により説明する。
【００６２】
９は本実施の形態におけるディスク装置の中において移送ユニット８０を支持するベースホルダ、１０は移送ユニット８０を保持し、本実施の形態におけるディスク装置全体の外郭をなすシャーシである。
【００６３】
移送ユニット８０は、ベースホルダ９に設けられたベース支持ボス９ＡＲ／９ＡＬに対しては、ベース８に設けられた前ダンパ穴８ＦＲ／８ＦＬに取り付けされたベース水平支持ダンパ１１ＦＲ／１１ＦＬを介してダンパ固定ビス１２ＦＲ／１２ＦＬにより固定支持され、シャーシ１０に設けられたベース取り付けボス１０ＢＲ／１０ＢＬ対しては、ベース８に設けられた後ダンパ穴８ＲＲ／８ＲＬに取り付けられたベース水平支持ダンパ１１ＲＲ／１１ＲＬを介してダンパ固定ビス１２ＲＲ／１２ＲＬにより固定支持される。
【００６４】
なお、ベース水平支持ダンパ１１ＦＲ／１１ＦＬ／１１ＲＲ／１１ＲＬは、ブチルゴム、シリコンゴムなどの弾性と減衰性を有する材料からなる。
【００６５】
この時、ベース取り付けボス１０ＢＲ／１０ＢＬに取り付けられたベース水平支持ダンパ１１ＲＲ／１１ＲＬ部分では、シャーシ１０に対する相対高さに変動が生じないため、ベースホルダ９の矢印Ｄ８方向または矢印Ｄ９方向への昇降動作時には、仮想の回動支軸８Ｌを構成し、図１に示すように擬似的にベース８の回動のためのヒンジの機能を果たす。
【００６６】
ベースホルダ９は、シャーシ１０に組み込まれて矢印Ｄ３／Ｄ４方向に移動することによりベースホルダ９を上昇／下降させる昇降カム１３に対して、付加されている昇降ピン９ＵＲ／９ＵＬが昇降溝１３ＣＲ／１３ＣＬに挿通された状態で、シャーシ１０に対して特定の状態に支持される。この時、昇降ピン９ＵＲ／９ＵＬはシャーシ１０に付加するガイド面１０Ｗに設けられた昇降ガイド溝１０ＧＲ／１０ＧＬにも同時に挿通され、図２に示す矢印Ｄ５方向に案内される。
【００６７】
またベースホルダ９は、ホルダ回動軸９ＰＲ／９ＰＬがシャーシ１０に設けられたホルダ軸受け１０ＳＲ／１０ＳＬに軸支されることによりシャーシ１０に対して回動自在に支持されている。
【００６８】
昇降カム１３が矢印Ｄ３／Ｄ４方向に移動可能にシャーシ１０へ組み込まれた状態では、シャーシ１０に設けられたギア軸１０Ｃに回転可能に保持される昇降ギア１４にラックギア１３Ｇが係合して、昇降ギア１４が矢印Ｄ６／Ｄ７方向に回転することにより矢印Ｄ３／Ｄ４方向に移動する。
【００６９】
なお、昇降ギア１４を駆動する駆動源および駆動源から駆動ギア１４に至る駆動系については詳細の記載を割愛しているが、例えばギア列による構成あるいはベルト駆動などの、すでに公知の機構技術にて構成することが可能である。
【００７０】
このような構成で、移送ユニット８０はベースホルダ９および昇降カム１３などとともにシャーシ１０に対して組み込まれた後、天板１５がビス１６Ａ／１６Ｂ／１６Ｃ／１６Ｄにより固定される。この時、シャーシ１０に設けられた位置決め突起１０ＰＡ／１０ＰＢ／１０ＰＣ／１０ＰＤが天板１５に設けられた位置決め穴１５ＦＲ／１５ＲＲ／１５ＦＬ／１５ＲＬに係合されて、天板１５はシャーシ１０に対して、ターンテーブル２に載置された状態におけるディスク１に平行な面方向に関して一義的に位置決めされる。
【００７１】
天板１５に設けられた１５ＳＬ／１５ＳＲは揺動規制突起であり、移送ユニット８０が矢印Ｄ１または矢印Ｄ２方向に揺動した際の、シャーシ１０に対しての相対移動量を制限するための突起である。揺動規制突起１５ＳＬ／１５ＳＲは、移送ベース８に連接した主ガイドシャフト５Ｍに直交する曲げ面８Ｖと間隙Ｇ１を有している。ただし間隙Ｇ１は少なくとも、光ヘッド４の移送およびディスクモータ３の回転を加振源とする振動による、主ガイドシャフト５Ｍに平行な方向の変位量よりも大きく設定されている。これにより、揺動規制突起１５ＳＬ／１５ＳＲが通常動作を妨害することはない。
【００７２】
なお、揺動規制突起１５ＳＬ／１５ＳＲの機能については、その詳細は後述する。
【００７３】
上記の通り、移送ユニット８０はシャーシ１０に対して、回動支軸８Ｌに関して矢印Ｄ８／Ｄ９方向に回動可能に構成されており、図５に示すように駆動ギア１４が矢印Ｄ６方向に回転すると昇降カム１３は矢印Ｄ３方向に移動するため、昇降ピン９ＵＲ／９ＵＬが昇降溝１３ＣＲ／１３ＣＬに沿って矢印Ｄ８方向に移動する。これに従って、移送ユニット８０がシャーシ１０に対して、回動支軸８Ｌに関して矢印Ｄ８方向に回動する。
【００７４】
この動作によりディスクモータ３および光ヘッド４などは上昇し、上昇が完了する直前にディスク１はターンテーブル２に載置された状態となり、不図示のチャッキング部材によりチャッキングされ、ディスクモータ３と共に一体的に回転可能な状態となる。そしてこの状態で光ヘッド４が矢印Ｄ１方向または矢印Ｄ２方向に移送されて、ディスク１に対してデータの記録、あるいはディスク１に記録されたデータの再生が行われる。
【００７５】
また逆に、図６に示すように駆動ギア１４が矢印Ｄ７方向に回転すると昇降カム１３は矢印Ｄ４方向に移動するため、昇降ピン９ＵＲ／９ＵＬが昇降溝１３ＣＲ（１３ＣＬ）に沿って矢印Ｄ９方向に移動する。これに従って、移送ユニット８０はシャーシ１０に対して、回動支軸８Ｌに関して矢印Ｄ９方向に回動する。
【００７６】
この動作によりディスクモータ３および光ヘッド４などは下降し、下降を開始した直後にディスク１はターンテーブル２へのチャッキングが解除される。
【００７７】
この状態で、ディスク１は装置外への排出が可能な状態となる。また同時にこの状態は、ディスク１が装置外から挿入されることが可能な状態でもある。
【００７８】
以上のように構成される本実施の形態のディスク装置において、光ヘッド４は矢印Ｄ１方向または矢印Ｄ２方向には、移送モータユニット６により移送駆動されている時以外では、他から受ける移送方向の力に対して自由状態である。また、移送ベース８および移送ユニット８０全体は、他から受ける移送方向の力がベース水平支持ダンパ１１ＦＬ／１１ＦＲ／１１ＲＬ／１１ＲＲの弾性変形による反力を越える場合、矢印Ｄ１方向または矢印Ｄ２方向に移動可能である。
【００７９】
図７に示すように、光ヘッド４の移送方向が鉛直方向と一致するような姿勢では、移送ユニット８０がベース水平支持ダンパ１１ＦＬ／１１ＦＲ／１１ＲＬ／１１ＲＲを介してベースホルダ９およびシャーシ１０に支持されて、さらに移送ユニット８０とベースホルダ９の重量は、シャーシ１０に設けられたガイド面１０Ｗとベース取り付けボス１０ＢＲ／１０ＢＬに分割されてかかることになる。
【００８０】
この時、静止状態であればガイド面１０Ｗおよびベース取り付けボス１０ＢＲ／１０ＢＬにかかる力は矢印Ｄ１方向の、移送ユニット８０およびベースホルダ９の全体の静止重量による力だけである。
【００８１】
光ヘッド４も同様に矢印Ｄ１方向に力を受けているが、静止状態であれば光ヘッド４の重量だけがかかってくる。したがってこの力が主ガイドシャフト５Ｍ／副ガイドシャフト５Ｓとの間の摩擦力を越えるものであれば移動を開始する。
【００８２】
ところが本実施の形態の類のディスク装置における一般的なアクシデントとして発生する製品の落下時などでは、図７に示すような状態から、図８に示すように、ディスク装置全体が、矢印Ｄ１方向に移動し、固定物５１に衝突する場合がある。この際、移送ユニット８０がガイド面１０に与える衝撃力によりガイド面１０Ｗが受ける力は増し、図７に示す静止状態よりも大きな力となり、図８に示すように撓みを発生する。
【００８３】
ただし、移送ベース８はこの方向に揺動規制突起１５ＳＬ／１５ＳＲの機能により移動量の規制がされるため、撓み量は間隙Ｇ１を越えることはない。
【００８４】
このように最大でも間隙Ｇ１の撓みが発生して、すなわち移送ユニット８０が矢印Ｄ１方向にＧ１だけ相対位置移動行って停止した後に、残存した運動量が光ヘッド４に移り、引き続き光ヘッド４が矢印Ｄ１方向に移送ユニット８０およびシャーシ１０に対して相対位置移動を行う。そして、主ガイドシャフト受け８Ａ／８Ｂに衝突して停止する。
【００８５】
図７に示す静止状態で移送ユニット８０および光ヘッド４が矢印１方向に受ける加速度を各々Ａ１１、Ａ１２、図８に示す落下時などでディスク装置全体が固定物５１に衝突した状態で移送ユニット８０および光ヘッド４が矢印１方向に受ける衝撃による加速度を各々、ディスク装置全体がＡ２１、移送ユニット８０がＡ２２、および光ヘッド４がＡ２３とすると、Ａ１１およびＡ１２は共に重力加速度そのものであり９．８ｍ／ｓ２に等しいが、Ａ２１、Ａ２２およびＡ２３はこれより大きく、さらに移送ユニット８０はシャーシ１０に対して矢印１方向に間隙Ｇ１に相当する距離分だけ相対移動を行い、光ヘッド４は移送ユニット８０に対してさらに矢印１方向への相対移動を行うため移送ユニット８０および光ヘッド４は各々ディスク装置全体よりさらに加速され、これらの加速度は（式２）のような関係になる。
【００８６】
Ａ２１＜Ａ２２＜Ａ２３・・・（式２）
この時にはＡ２１の値が大きいほどＡ２２およびＡ２３の値も大きくなり、また最も高精度が要求される光ヘッド４における衝撃加速度Ａ２３の値が最も大きくなることがわかる。
【００８７】
またこの関係において、移送ユニット８０の相対移動距離が大きいほど加速度は大きくなるため、Ａ２２はガイド面１０Ｗの撓み量が拡大するに従って増大する。
【００８８】
（式２）より、落下時などでディスク装置全体が衝撃力を受ける際に、最終的に光ヘッド４に対する衝撃加速度を低減するための対策としては、Ａ２１の値を極力小さくすることと、Ａ２１とＡ２２の差およびＡ２２とＡ２３の差を極力小さくすることが有効な対策であることがわかる。
【００８９】
上記対策のうち、前者のＡ２１の値を小さくするのを、ディスク装置の構成で達成することは不可能であるが、後者のＡ２１とＡ２２の差およびＡ２２とＡ２３の差を極力小さくするには、シャーシ１０に対する移送ユニット８０の相対移動量、および移送ユニット８０に対する光ヘッド４の相対移動量を極力小さくすることが有効である。
【００９０】
本実施の形態においては、シャーシ１０に設けられた位置決め突起１０ＰＡ／１０ＰＢ／１０ＰＣ／１０ＰＤが天板１５に設けられた位置決め穴１５ＦＲ／１５ＲＲ／１５ＦＬ／１５ＲＬに係合されて、天板１５がシャーシ１０に対して一義的に位置決めされていることから、移送ユニット８０が、揺動規制突起１５ＳＬ／１５ＳＲに衝突したとしても、揺動規制突起１５ＳＬ／１５ＳＲがシャーシ１０に対して位置ズレを生じることがなく、シャーシ１０に対する移送ユニット８０の相対移動量は、最大でも間隙Ｇ１に抑えることができる。
【００９１】
間隙Ｇ１の寸法自体は少なくとも、光ヘッド４の移送およびディスクモータ３の回転を加振源とする振動による、主ガイドシャフト５Ｍに平行な方向の変位量を越えれば良いが、これらの振動による変位量はその発生エネルギの量から考慮すれば、仮に揺動規制突起１５ＳＬ／１５ＳＲがなかった場合にガイド面１０Ｗが移送ユニット８０からの衝撃力により撓んだ場合の撓み量に比べると、十分に小さな量である。
【００９２】
したがって、本実施の形態においては、落下時などでディスク装置全体が衝撃力を受けた際においても、移送ユニット８０が過大な衝撃力を受けることはなく、これに伴い光ヘッド４も過大な衝撃力を受けることは回避できる。このため、光ヘッド４および移送ユニット８０に構成された部品などが、ディスク装置全体の機能の発揮を阻害するような損傷を受けるのを防止することが可能となる。
【００９３】
また本実施の形態においては、図７に示すように、ヘッド４に関してディスク１が載置される側の高さ位置で揺動量規制突起１５ＳＬ／１５ＳＲが曲げ面８Ｖと対向しているおり、すなわち、ディスクモータ３が取り付けられ、また主ガイドシャフト受け８Ａ／８Ｂ／８Ｃ／８Ｄ、あるいは副ガイドシャフト受け８Ｅ／８Ｆ／８Ｇ／８Ｈが付加する水平面８Ｊに関して重心の存在する側で対向している。これにより、ヘッド４に発生する図８に示す矢印Ｒ１方向などのモーメントの発生が抑制され、純粋に鉛直方向だけの力が加わる。このため複雑な力がヘッド４に印加されるのを低減することが可能となる。
【００９４】
さらに本実施の形態においては、図７に示すように、揺動量規制突起１５ＳＬ／１５ＳＲが曲げ面８Ｖと対向する、ディスクモータ３の回転軸と平行な方向の係合長ＤＩＭ１は、水平面８Ｈ部分の厚さのおおよそ２倍以上の十分な寸法を有しており、複雑な方向への衝撃力がディスク装置全体に加わってヘッド４に図８に示す矢印Ｒ１方向などのモーメントが発生したしても、その対向状態が維持できなくなることを回避できる。
【００９５】
（実施の形態２）
次に、本発明の実施の形態２について図９、図１０、図１１および図１２により説明する。
【００９６】
図９は、実施の形態２のディスク装置の構成概略図であり、図１０は図９に示された構成部品の組立状態図である。
【００９７】
実施の形態２の、実施の形態１との差異は、シャーシ１０へ移送ユニットを支持する構成である。８はベースであり、垂直曲げ面８ＶＨに設けられた垂直ダンパ穴８ＶＲ／８ＶＬに取り付けられた垂直支持ダンパ１１ＶＲ／１１ＶＬを介して、シャーシ１０に設けられたベース支持水平ボス１０ＢＲ／１０ＢＬに固定支持される。この時、ベース８はベース支持ボス１０ＢＲ／１０ＢＬに対しては、締結部品は使用されなくても支持されることが可能であるが、より確実な支持を達成するために使用することも可能である。
【００９８】
なお、垂直支持ダンパ１１ＶＲ／１１ＶＬは、ブチルゴム、シリコンゴムなどの弾性と減衰性を有する材料からなる。
【００９９】
この時も実施の形態１と同様、ベース支持水平ボス１０ＢＲ（１０ＢＬ）部分では、シャーシ１０に対する相対高さに変動が生じないため、仮想の回動支軸８Ｌを構成し、図９に示すように擬似的にベース８の回動のためのヒンジの機能を果たす。
【０１００】
また、ディスクモータ３に関する垂直曲げ面８ＶＨの反対側は、実施の形態１と異なりベースホルダ９を用いることなく、ベース８に設けられたベース昇降ピン８ＵＲ／８ＵＬが、シャーシ１０に組み込まれて矢印Ｄ３／Ｄ４方向に移動することによりベース８を上昇／下降させる昇降カム１３に設けられた昇降溝１３ＣＲ／１３ＣＬに挿通された状態で、シャーシ１０に対して特定の状態に支持される。この時、ベース昇降ピン８ＵＲ／８ＵＬはシャーシ１０に付加するガイド面１０Ｗに設けられた昇降ガイド溝１０ＧＲ／１０ＧＬにも同時に挿通され、図１０に示す矢印Ｄ１５方向に案内される。さらにベース８の、ガイド面１０Ｗに面する部分には前曲げ面８Ｆが設けられており、ディスク１が記録及び／又は再生を行うことが可能となるようベース８が支持された状態では、ガイド面１０Ｗに付加された支持柱部１０ＦＲ／１０ＦＬと当接している。
【０１０１】
このように構成されて、図１１に示すように、実施の形態１と同様、昇降カム１３の移動により、ベース８が仮想の回動支軸８Ｌを中心に回動する。昇降カム１３の駆動系については、実施の形態１との重複となるため説明を省略する。
【０１０２】
実施の形態２においても、実施の形態１の場合と同様、揺動規制突起１５ＳＬ／１５ＳＲが設けられた天板１５がシャーシ１０に対して固定支持される。このとき、揺動規制突起１５ＳＬ／１５ＳＲと垂直曲げ面８ＶＨとはＧ１の間隙を有する。
【０１０３】
実施の形態２においても、実施の形態１の場合と同様、アクシデントとして発生する製品の落下時などで、図１１に示す状態から図１２に示すように、ディスク装置全体が、矢印Ｄ１方向に移動し、固定物５１に衝突した際、移送ベース８はこの方向に関しては揺動規制突起１５ＳＬ／１５ＳＲが移動量を規制するため、Ｇ１を越えて移動することはない。
【０１０４】
したがって、実施の形態２においても、実施の形態１の場合と同様の理由で、落下時などでディスク装置全体が衝撃力を受けた際に、ベース８が過大な衝撃力を受けることはなく、これに伴い光ヘッド４も過大な衝撃力を受けることは回避できる。このため、光ヘッド４およびベース８に構成された部品などが、ディスク装置全体の機能の発揮を阻害するような損傷を受けるのを防止することが可能となる。
【０１０５】
また実施の形態２においても、図１１に示すように、ヘッド４に関してディスク１が載置される側の高さ位置で揺動量規制突起１５ＳＬ／１５ＳＲが曲げ面８Ｖと対向しているおり、すなわち、ディスクモータ３が取り付けられ、また主ガイドシャフト受け８Ａ／８Ｂ／８Ｃ／８Ｄ、あるいは副ガイドシャフト受け８Ｅ／８Ｆ／８Ｇ／８Ｈが付加する水平面８Ｊに関して重心の存在する側で対向している。これにより、ヘッド４に発生する図１２に示す矢印Ｒ１方向などのモーメントの発生が抑制され、純粋に鉛直方向だけの力が加わる。このため複雑な力がヘッド４に印加されるのを低減することが可能となる。
【０１０６】
さらに本実施の形態においては、図７に示すように、揺動量規制突起１５ＳＬ／１５ＳＲが曲げ面８Ｖと対向する、ディスクモータ３の回転軸と平行な方向の係合長ＤＩＭ１は、水平面８Ｈ部分の厚さのおおよそ２倍以上の十分な寸法を有しており、複雑な方向への衝撃力がディスク装置全体に加わってヘッド４に図８に示す矢印Ｒ１方向などのモーメントが発生したしても、その対向状態が維持できなくなることを回避できる。
【０１０７】
（実施の形態３）
次に、本発明の実施の形態３について図１３により説明する。
【０１０８】
実施の形態３の、実施の形態１との差異は、曲げ面８Ｖが、ディスクモータ３が載置されるのとは反対の面側に曲げられている点である。
【０１０９】
実施の形態３においては、図１３に示すように、揺動規制突起１５ＳＬ／１５ＳＲを設けて曲げ面８Ｖに対向させるのではなく、ベース取り付けボス１０ＢＲ／１０ＢＬに揺動規制凸部１０Ｐを設けて、間隙Ｇ２を隔てた状態で対向させている。
【０１１０】
揺動規制凸部１０Ｐによっても、実施の形態１の場合と同様の理由で、落下時などでディスク装置全体が衝撃力を受けた際においても、移送ユニット８０が過大な衝撃力を受けることはなく、これに伴い光ヘッド４も過大な衝撃力を受けることが回避でき、光ヘッド４および移送ユニット８０に構成された部品などが、ディスク装置全体の機能の発揮を阻害するような損傷を受けるのを防止することが可能となる。
【０１１１】
ただし図１３に示すように、揺動規制凸部１０Ｐが曲げ面８Ｖと当接する部位が、ベース８においてディスクモータ３が取り付けられる面に関して、ディスクモータ３とは反対側であるため、光ヘッド４の移送方向が鉛直方向となるような姿勢においては、当接時の力の方向が当接面に対して直交方向から外れる側となる。したがって、この観点からは実施の形態１の場合のほうがより大きな効果を得る傾向にあるが、実施の形態３においても同様の効果を得ることは可能である。
【産業上の利用可能性】
【０１１２】
本発明のディスク装置は、データを記録する記憶媒体として、具体的には映像あるいは音響コンテンツを記録あるいは再生するためのレコーダやプレーヤ、パソコン用ストレージ等として有効である。
【図面の簡単な説明】
【０１１３】
【図１】本発明の実施の形態１のディスク装置の構成概略図
【図２】本発明の実施の形態１のディスク装置の構成部品が組み込まれた状態を示す組立状態図
【図３】本発明の実施の形態１のディスク装置の光ヘッド移送機構の構成概略図
【図４】本発明の実施の形態１のディスク装置における移送モータユニットおよび移送駆動を行う機構示す構成概略図
【図５】本発明の実施の形態１のディスク装置において移送ユニットが上昇した状態を示す図
【図６】本発明の実施の形態１のディスク装置において移送ユニットが下降した状態を示す図
【図７】本発明の実施の形態１のディスク装置が、移送方向が鉛直となる姿勢の状態を示す図
【図８】本発明の実施の形態１のディスク装置が、移送方向が鉛直となる姿勢で固定物に衝突した状態を示す図
【図９】本発明の実施の形態２のディスク装置の構成概略図
【図１０】本発明の実施の形態２のディスク装置の構成部品が組み込まれた状態を示す組立状態図
【図１１】本発明の実施の形態２のディスク装置が、移送方向が鉛直となる姿勢の状態を示す図
【図１２】本発明の実施の形態２のディスク装置が、移送方向が鉛直となる姿勢で固定物に衝突した状態を示す図
【図１３】本発明の実施の形態３のディスク装置が、移送方向が鉛直となる姿勢の状態を示す図
【図１４】従来のディスク装置の構成概略図
【図１５】従来のディスク装置の構成部品が組み込まれた状態を示す組立状態図
【図１６】従来のディスク装置のヘッド移送機構の構成概略図
【図１７】従来のディスク装置における移送モータユニットおよび移送駆動を行う機構示す構成概略図
【図１８】従来のディスク装置において移送ユニットが上昇した状態を示す図
【図１９】従来のディスク装置において移送ユニットが下降した状態を示す図
【図２０】従来のディスク装置が、移送方向が鉛直となる姿勢の状態を示す図
【図２１】従来のディスク装置が、移送方向が鉛直となる姿勢で固定物に衝突した状態を示す図
【符号の説明】
【０１１４】
１    ディスク
２    ターンテーブル
３    ディスクモータ
４    光ヘッド
５Ｍ    主ガイドシャフト
５Ｓ    副ガイドシャフト
６    移送モータユニット
６ＳＧ    螺旋溝
６Ｓ    リードスクリュー
６Ｍ    モータ部
６Ｆ    モータフレーム
７    ナット部材
７Ｔ    ナット歯
７Ｆ    フック部
８    ベース
８Ａ，８Ｂ，８Ｃ，８Ｄ    主ガイドシャフト受け
９    ベースホルダ
１０    シャーシ
１１ＦＲ    ベース水平支持ダンパ
１１ＦＬ    ベース水平支持ダンパ
１１ＲＲ    ベース水平支持ダンパ
１１ＲＬ    ベース水平支持ダンパ
１２ＦＲ    ダンパ固定ビス
１２ＦＬ    ダンパ固定ビス
１２ＲＲ    ダンパ固定ビス
１２ＲＬ    ダンパ固定ビス
１３    昇降カム
１４    駆動ギア
１５    天板
１６Ａ，１６Ｂ，１６Ｃ，１６Ｄ    ビス
８０    移送ユニット
【図１】
2007287246.tif 000003
【図２】
2007287246.tif 000004
【図３】
2007287246.tif 000005
【図４】
2007287246.tif 000006
【図５】
2007287246.tif 000007
【図６】
2007287246.tif 000008
【図７】
2007287246.tif 000009
【図８】
2007287246.tif 000010
【図９】
2007287246.tif 000011
【図１０】
2007287246.tif 000012
【図１１】
2007287246.tif 000013
【図１２】
2007287246.tif 000014
【図１３】
2007287246.tif 000015
【図１４】
2007287246.tif 000016
【図１５】
2007287246.tif 000017
【図１６】
2007287246.tif 000018
【図１７】
2007287246.tif 000019
【図１８】
2007287246.tif 000020
【図１９】
2007287246.tif 000021
【図２０】
2007287246.tif 000022
【図２１】
2007287246.tif 000023